(57)【要約】【課題】    既存の各種のロータンクに適合した動作モードの設定が容易で、且つ高い節水効果を維持しつつ各種の便利な補助機能も実現可能とした便器洗浄装置及びそれを備えた便器洗浄システムを提供することを目的とする。【解決手段】    排水バルブを有するロータンクに取り付け可能な便器洗浄装置であって、モータと、前記モータの出力を減速する減速手段と、手動による回転駆動力を入力可能とした入力軸と、前記入力軸及び前記減速手段から回転駆動力を出力可能な出力軸と、前記出力軸の回転量に対応する情報を出力可能な位置検出手段と、を備えたことを特徴とする便器洗浄装置を提供する。【選択図】    図１
2005105630.tif 000002
【特許請求の範囲】
【請求項１】
排水バルブを有するロータンクに取り付け可能な便器洗浄装置であって、
モータと、
前記モータの出力を減速する減速手段と、
手動による回転駆動力を入力可能とした入力軸と、
前記入力軸及び前記減速手段から回転駆動力を出力可能な出力軸と、
前記出力軸の回転量に対応する情報を出力可能な位置検出手段と、
を備え、
前記位置検出手段により検知された前記情報を外部に出力可能としたことを特徴とする便器洗浄装置。
【請求項２】
前記入力軸と前記出力軸とが直結され、
前記位置検出手段は、前記入力軸または前記出力軸のいずれかに設けられたことを特徴とする請求項１記載の便器洗浄装置。
【請求項３】
前記位置検出手段は、前記出力軸の前記回転量を電気抵抗の変化として出力するポテンショメータであることを特徴とする請求項１または２に記載の便器洗浄装置。
【請求項４】
前記位置検出手段は、前記出力軸の前記回転量をホール効果により検出するホール素子であることを特徴とする請求項１または２に記載の便器洗浄装置。
【請求項５】
請求項１〜４のいずれか１つに記載の便器洗浄装置と、
複数の洗浄モードに関する制御情報が格納され、前記位置検出手段から出力される前記情報に基づいて前記複数の洗浄モードのいずれかを設定可能とし、前記設定された洗浄モードに基づいた制御信号を前記便器洗浄装置に供給することにより洗浄動作を可能とした制御部と、
を備えたことを特徴とする便器洗浄システム。
【請求項６】
請求項１〜４のいずれか１つに記載の便器洗浄装置と、
初期設定操作において前記位置検出手段から出力される前記情報に基づいて洗浄に関する制御情報を決定し、前記決定された制御情報に基づいた制御信号を前記便器洗浄装置に供給することにより洗浄動作を可能とした制御部と、
を備えたことを特徴とする便器洗浄システム。
【請求項７】
前記制御情報は、前記出力軸の回転方向に関する情報を含むことを特徴とする請求項５記載の便器洗浄システム。
【請求項８】
前記制御情報は、前記出力軸の回転角度に関する情報を含むことを特徴とする請求項５または６つに記載の便器洗浄システム。
【請求項９】
前記制御部は、前記洗浄動作に際して、前記位置検出手段から出力される前記情報に基づくフィードバック制御を実行することを特徴とする請求項５〜８のいずれか１つに記載の便器洗浄システム。
【請求項１０】
前記制御部は、前記位置検出手段から出力される前記情報に基づくフィードバック制御を実行することにより、小洗浄よりも少量の洗浄水を流す制御を実行可能であることを特徴とする請求項５〜９のいずれか１つに記載の便器洗浄システム。
【請求項１１】
前記制御部は、前記モータの駆動電流の時間変化に基づいて前記フィードバック制御を開始することを特徴とする請求項１０記載の便器洗浄システム。
【発明の詳細な説明】
【技術分野】
【０００１】
本発明は、便器洗浄装置及び便器洗浄システムに関し、より詳細には、水洗便器に取り付けて、電動によりロータンクから水洗便器に洗浄水を供給可能とした便器洗浄装置及びこれを備えた便器洗浄システムに関する。
【背景技術】
【０００２】
水洗便器のロータンクに関する技術開発の歴史は長く、例えば、ロータンクの表面の結露を防ぐための防露構造（例えば、特許文献１）、排水機構（例えば、特許文献２）、作動機構（例えば、特許文献３）、操作機構（例えば、特許文献４）、ハンドル装置（例えば、特許文献５）、大小洗浄水の流し分け機構（例えば、特許文献６）、ロータンク外側に設ける電磁駆動手段（例えば、特許文献７）などが開示されている。
【０００３】
手動及び電動のいずれにても水洗便器に洗浄水を供給可能とした便器洗浄装置として、本発明者らは、ロータンクのレバー装置を開示した（特許文献８）。このレバー装置は、モータを内蔵したスピンドル電動装置をロータンクの内部に収容可能とし、且つロータンクのレバー開口からロータンク外の突出するねじ付カラムを設けたものである。このねじ付きカラムにロータンクの外側からナットを螺合させ、スピンドル電動装置の基端部との間にロータンクの外壁を強く挟持することにより、スピンドル電動装置を固定可能とした。かかる構成により、レバー装置の取り付けが容易となり、さらにレバーとロータンクとの隙間を、旧来の手回し式のロータンクのものと変わらない程度まで抑え、見栄えを良くすることができた。
【特許文献１】実開昭５５−５４４８５号公報
【特許文献２】特開昭５７−３３６４１号公報
【特許文献３】実開昭５５−１０６２８３号公報
【特許文献４】実開昭５６−５５０８５号公報
【特許文献５】実開昭５７−３８８７５号公報
【特許文献６】特開昭６０−１００２６号公報
【特許文献７】特開昭６０−５５１３６号公報
【特許文献８】特開２００１−６５０２８号公報
【発明の開示】
【発明が解決しようとする課題】
【０００４】
すでに市場には、各種のロータンクが出回っている。これらのできるだけ多くの機種に適合でき、取り付けも容易な便器洗浄システムが実現できれば、ユーザは、ロータンクを買い換えることなく電動洗浄の恩恵に浴することができる。
【０００５】
しかしながら、前述した特許文献１乃至８の記載からも分かるように、これら既存のロータンクの形状、構造、サイズは、実に多種多様である。このため、これらに共通に取り付けて動作させることができる便器洗浄システムを実現するためには、技術的な高度ないくつかのブレイクスルーが必要である。
【０００６】
図２８は、既存のロータンクの形態のいくつかを例示する模式図である。すなわち、同図（ａ）に表したものは、ロータンク２００の正面左側に操作ハンドル１００が設けられた、いわゆる「前ハンドル型」のロータンクである。また、図２８（ｂ）に表したものは、ロータンク２００の向かって右側側面に操作ハンドル１００が設けられた、いわゆる「右ハンドル型」のロータンクである。一方、図２８（ｃ）に表したものは、手洗い室のコーナーに配置可能な、いわゆる「隅付き型」のロータンクである。
【０００７】
これらの具体例からも分かるように、ロータンク２００の形状とその操作ハンドル１００の取り付け位置だけを見ても、各種の形式が存在する。そしてさらに、その大小の洗浄水の流し分けの機構についてみると、さらに多種多様なモードが存在する。
【０００８】
例えば、「大」用の洗浄水を流す際に、操作ハンドル１００を右側に回転させるものと、左側に回転させるものが存在する。また、それらの回転角度も様々である。一方、「小」用の洗浄水を流す際に、「大」用の洗浄水を流す場合と同方向に操作ハンドル１００を回すものと、これとは逆に回すものがある。またさらに、「小」用の洗浄水を流す際に、操作ハンドル１００を回した状態で保持する「ホールド」操作を必要とするものもある。
【０００９】
従って、これら多種多様な既存のロータンクに共通的に適合させるためには、ロータンクに取り付ける便器洗浄装置のサイズや形状などについて大幅な工夫が必要とされるのと同時に、その動作モードの設定方法についても、既存の多様な機種に確実且つ容易に対応できる新規な便器洗浄装置を実現する必要がある。
【００１０】
また一方、通常の「大洗浄」や「小洗浄」の洗浄モードとは別に、少量の洗浄水を制御性よく流すことができると、高い節水効果を実現しつつ各種の便利な補助機能を付加することも可能となる。
【００１１】
本発明はかかる課題の認識に基づいてなされたものであり、その目的は、既存の各種のロータンクに適合した動作モードの設定が容易で、且つ高い節水効果を維持しつつ各種の便利な補助機能も実現可能とした便器洗浄装置及びそれを備えた便器洗浄システムを提供することにある。
【課題を解決するための手段】
【００１２】
上記課題を解決するために、本発明によれば、排水バルブを有するロータンクに取り付け可能な便器洗浄装置であって、モータと、前記モータの出力を減速する減速手段と、手動による回転駆動力を入力可能とした入力軸と、前記入力軸及び前記減速手段から回転駆動力を出力可能な出力軸と、前記出力軸の回転量に対応する情報を出力可能な位置検出手段と、を備え、前記位置検出手段により検知された前記情報を外部に出力可能としたことを特徴とする便器洗浄装置が提供される。
【００１３】
上記構成によれば、位置検出手段からの情報を利用することにより、既存の各種のロータンクに適合した動作モードの設定が容易で、且つ高い節水効果を維持しつつ各種の便利な補助機能も実現可能とした便器洗浄装置を提供することにある。
【００１４】
ここで、前記入力軸と前記出力軸とが直結され、前記位置検出手段は、前記入力軸または前記出力軸のいずれかに設けられたものとれば、減速手段におけるギアのバックラッシュによる検出誤差の発生を防ぐことができる。
【００１５】
また、前記位置検出手段は、前記出力軸の前記回転量を電気抵抗の変化として出力するポテンショメータであるものとすれば、小型で低コストで安定した検出が可能となる。
【００１６】
または、前記位置検出手段は、前記出力軸の前記回転量をホール効果により検出するホール素子であるものとすれば、小型で高精度の検出が可能となる。
【００１７】
一方、本発明の便器洗浄システムは、前述のいずれかの便器洗浄装置と、複数の洗浄モードに関する制御情報が格納され、前記位置検出手段から出力される前記情報に基づいて前記複数の洗浄モードのいずれかを設定可能とし、前記設定された洗浄モードに基づいた制御信号を前記便器洗浄装置に供給することにより洗浄動作を可能とした制御部と、を備えたことを特徴とする。
【００１８】
上記構成によれば、位置検出手段からの情報を利用することにより、既存の各種のロータンクに適合した動作モードの設定が容易な便器洗浄システムを提供することができる。
【００１９】
または、本発明の器洗浄システムは、前述のいずれかの便器洗浄装置と、初期設定操作において前記位置検出手段から出力される前記情報に基づいて洗浄に関する制御情報を決定し、前記決定された制御情報に基づいた制御信号を前記便器洗浄装置に供給することにより洗浄動作を可能とした制御部と、を備えたことを特徴とする。
【００２０】
上記構成によれば、多様な洗浄モードに柔軟に適合でき、初期設定も容易な便器洗浄システムを提供できる。
【００２１】
ここで、前記制御情報は、前記出力軸の回転方向あるいは回転角度に関する情報を含むものとすることができる。
【００２２】
また、前記制御部は、前記洗浄動作に際して、前記位置検出手段から出力される前記情報に基づくフィードバック制御を実行するものとすれば、多様な洗浄モードを精密に再現することが容易となる。
【００２３】
また、前記制御部は、前記位置検出手段から出力される前記情報に基づくフィードバック制御を実行することにより、小洗浄よりも少量の洗浄水を流す制御を実行可能であるものとすれば、「プレ洗浄」や「お掃除モード」あるいは「凍結防止モード」などの各種の便利な補助機能を高い節水効果を実現しつつ実行することができる。
【００２４】
また、前記制御部は、前記モータの駆動電流の時間変化に基づいて前記フィードバック制御を開始するものとすれば、玉鎖の「たるみ」による検出誤差を解消することができる。
【発明の効果】
【００２５】
以上詳述したように、本発明によれば、自動型の便器洗浄装置に位置検出手段を設けることより、既存の複数の洗浄モードのいずれかを確実且つ容易に選択し設定できる機能を付加することができる。その結果として、すでに市場出回っている各種のロータンクに確実且つ容易に適合させることができる便器洗浄装置を提供することができ、ユーザは、ロータンクを買い換えることなく電動洗浄の恩恵に浴することができる。
【００２６】
またさらに、本発明によれば、「小」用とは別に少量の洗浄水を制御性よく流すことができ、いわゆる「プレ洗浄」や「掃除モード」、あるいは「凍結防止」などの各種の便利な補助機能を高い節水効果と両立させつつ実現することもできる。
【発明を実施するための最良の形態】
【００２７】
以下、図面を参照しつつ本発明の実施の形態について説明する。
【００２８】
図１は、本発明の実施の形態にかかる便器洗浄システムを水洗便器に取り付けた状態を例示する模式図である。すなわち、同図に表した具体例の場合、制御部５００は、便座４００に内蔵されている。便座４００は、例えば温水によって「おしり」などの局部を洗浄可能とした温水洗浄式便座装置であってもよい。  
一方、便器洗浄装置１０はロータンク２００に取り付けられ、制御部５００と接続コード（図示せず）により接続されている。便器洗浄装置１０は、モータを内蔵し、その先端に玉鎖レバー８４、８５が設けられている。これら玉鎖レバー８４、８５は、矢印ＡまたはＢの方向に回転することにより、それぞれ玉鎖２２０、２３０を介して排水バルブ２４０、２５０を引き上げ、「大洗浄」または「小洗浄」を自動で実行可能としている。また、操作ハンドル１００を手動で回転させることによっても、「大洗浄」及び「小洗浄」を実施することが可能とされている。
【００２９】
さて、本発明の便器洗浄装置１０は、既存の各種のロータンク２００に取り付けることが可能とされている。そして、便器洗浄装置１０をロータンク２００の取り付けてから、制御部５００に対して所定の初期設定操作を実行する。後に詳述するように、これら初期設定操作や温水洗浄式便座装置の操作は、便座４００に設けられた図示しないスイッチ類により実行してもよいが、便座４００とは別体のリモコンユニット（操作部）５１０により実行可能とすることができる。
【００３０】
図２は、本実施形態の便器洗浄装置の要部を表す斜視図である。すなわち、この便器洗浄装置１０は、螺合突出部２０と、駆動部４０と、を有する。螺合突出部２０の先端には、シャフト２２が突出している。一方、駆動部４０のタンク内向面には、第１の出力軸７０と第２の出力軸７２とが設けられている。第１の出力軸７０が出力する回転トルクと、第２の出力軸７２が出力する回転トルクは、互いに異なるものすることが望ましい。これら第１及び第２の出力軸７０、７２を適宜使い分けることにより、既存の各種のロータンクに適合させ、その流水機構を駆動させることができる。つまり、出力軸に必要とされる回転トルクや回転角度は、ロータンクの構造によって異なる。本具体例によれば、２つの出力軸７０、７２を設けることにより、これら異なる要求に広範に適合させることができる。
【００３１】
また、駆動部４０には、制御部５００との間で信号などを授受するための接続用コード７６が接続されている。後に詳述するように、駆動部４０には、出力軸７０、７２の回転量を検出する位置検出手段が内蔵されている。そして、この位置検出手段からの出力信号は、この接続用コード７６を介して制御部５００に送出される。
【００３２】
ロータンクの外側に突出するシャフト２２には、操作ハンドル１００（図１参照）が装着される。この操作ハンドルを手動により操作した場合にも、シャフト２２を介して手動回転トルクが出力軸７０、７２にそれぞれ伝達される。この際に、駆動部４０に内蔵されるモータのコギングトルクの付加を防ぐため、モータの動作軸に所定の空転角を与えたり、またはクラッチ機構などを付加するとよい。この点については、本発明者らが先に出願した特願２００２−２９２５０８号に記載した構成を採用することができる。
【００３３】
次に、本実施例の便器洗浄装置１０の内部構造について具体例を挙げて説明する。  
図３は、本実施例の便器洗浄装置の内部構造を模式的に表した概念図である。なお、同図は、動力伝達関係を説明するための概念図であり、各要素の寸法や配置関係などは、必ずしも実際の通りとは限らない。
【００３４】
本実施例の便器洗浄装置１０の内部には、駆動源であるモータ４２と、減速手段として５段のギア４３〜５１が設けられている。これらは、樹脂などからなる筺体４１の中に収容されている。４段目のギア４９の回転トルクが第１の出力軸７０に出力される。また、５段目のギア５１の回転トルクが、第２の出力軸７２として出力される。  
モータ４２として、ＤＣ２４ボルトで動作するブラシ型の高速モータを用いた場合、１段目４３から４段目４９までの減速比は、およそ１／１００程度とすることができる。また、５段目のギア５０、５１の減速比は、概ね１／２程度とすると各種のロータンクに適合させることが容易となる。
【００３５】
手動入力端となるシャフト２２と、第１の出力軸７０とは直結されている。そして、シャフト２２には、シャフトリターンスプリング５２が設けられ、中立状態に付勢される。同様に、４段目のギア４６にはギアリターンスプリング５３が設けられ、中立状態に付勢される。
【００３６】
また、操作ハンドル１００を用いた手動操作の際にモータ４２のコギングトルクの付加を防ぐため、４段目のギア４６は、シャフト２２に対して所定の空転角をもって結合されている。
【００３７】
図４は、４段目のギア４９とシャフト２２との結合断面を表す模式図である。すなわち、４段目のギア４９の内心にシャフト２２が配置されている。シャフト２２は、前述したように操作ハンドル１００及び第１の出力軸７０に結合されている。そして、これらシャフト２２の外面とギア４９の内面には、凸部２２Ｐ、４９Ｐがそれぞれ設けられている。図４は、中立状態を表し、この状態から矢印の方向にシャフト２２（すなわち操作ハンドル１００）を回転させた場合、その凸部２２Ｐがギア４９の凸部４９Ｐと当接するまでの範囲においては、ギア４９とは独立に回転させることができる。つまり、この範囲においては、シャフト２２は、モータ４２のコギングトルクや、ギアリターンスプリング５３の付加を受けることなく、回転させることができる。このようにして、操作ハンドル１００による手動操作を軽快に行うことができる。
【００３８】
一方、モータ４２により駆動させる際には、図４に表した中立状態からギア４９が矢印のいずれかの方向に空転し、その凸部４９Ｐがシャフト２２の凸部２２Ｐに当接すると、シャフト２２に結合されてトルクが出力軸に伝達される。つまり、凸部４９Ｐが凸部２２Ｐに当接するまでの範囲が空転角として設けられている。
【００３９】
そして本実施形態においては、シャフト２２の回転角度を検出可能とした位置検出手段１２が設けられている。  
図５は、位置検出手段１２を拡大した模式図である。すなわち、位置検出手段１２としては、例えば、可変抵抗式のポテンショメータを用いることができる。図５に表した具体例の場合、ポテンショメータ１２は、シャフト２２に取り付けられたプリント基板１２ａと、筺体４１に取り付けられたポジションブラシユニット１２ｂと、により構成されている。プリント基板１２ａ上には、同心円状のパターンを有する印刷抵抗部が形成されている。印刷抵抗部のパターンの中心はシャフト２２の回転中心と一致している。そして、ポジションブラシユニット１２ｂは、その先端部分が印刷抵抗部に摺動的に接触し電気的に導通する。シャフト２２が回転するとそれに応じてプリント基板１２ａが回転し、プリント基板１２ａに対するポジションブラシユニット１２ｂの当接位置が変化するので、それを電気的な抵抗変化として検出し、シャフト２２すなわち出力軸７０、７２の回転角度を検出することができる。検出信号は、図２に関して前述したように、接続用コード７６を介して制御部５００に送出される。
【００４０】
モータ４２からシャフト２２に至るギア４３〜５０のバックラッシュを考慮すると、位置検出手段１２は、シャフト２２または出力軸７０に固定して設けたほうが、回転角度をより正確にできる点で望ましい。また、位置検出手段１２は、ポテンショメータには限定されず、例えば、磁石を用いたホールセンサや、遮光パターンと発光素子及び受光素子を用いた光エンコーダなど用いることもできる。要求される検出精度、サイズ、検出回路などに応じて、これら各種のセンサのいずれかを選択して位置検出手段１２として用いることができる。
【００４１】
また、本発明においては、位置検出手段１２を設ける場所についても、各種の変形が可能である。  
図６は、ギアリターンスプリング５３に近接して位置検出手段１２を配置した具体例を表す模式図である。すなわち、ギアリターンスプリング５３のスプリング受けは、筺体４１に固定される。そこで、このスプリング受けにプリント基板１２ａ及びポジションブラシユニット１２ｂのいずれか一方を固定し、シャフト２２にはプリント基板１２ａ及びポジションブラシユニット１２ｂのいずれか他方を固定することにより、シャフト２２（出力軸７０）の回転角度を検出することができる。
【００４２】
図７は、シャフトリターンスプリング５２に近接して位置検出手段１２を配置した具体例を表す模式図である。すなわち、シャフトリターンスプリング５２のスプリング受けも、筺体４１に固定される。そこでやはり、このスプリング受けにプリント基板１２ａ及びポジションブラシユニット１２ｂのいずれか一方を固定し、シャフト２２にはプリント基板１２ａ及びポジションブラシユニット１２ｂのいずれか他方を固定することにより、シャフト２２（出力軸７０）の回転角度を検出することができる。
【００４３】
図８は、出力軸７０に位置検出手段１２を配置した具体例を表す模式図である。すなわち、出力軸７０にプリント基板１２ａ及びポジションブラシユニット１２ｂのいずれか一方を固定し、筺体４１にはプリント基板１２ａ及びポジションブラシユニット１２ｂのいずれか他方を固定することによっても、出力軸７０（シャフト２２）の回転角度を検出することができる。
【００４４】
なお、図６乃至図８に表した具体例においても、位置検出手段１２としてポテンショメータの代わりにホールセンサや光エンコーダなどを用いてもよい。また、ギアのバックラッシュが許容できる範囲であれば、位置検出手段をギア４３〜４８のいずれかに設けて、その減速段における回転角度（または回転数）を検出してもよい。
【００４５】
本発明によれば、このように便器洗浄装置１０に位置検出手段１２を設け、シャフト２２（出力軸７０）の回転量を検出して制御部５００に出力可能とすることにより、便器洗浄装置１０の初期設定を確実且つ容易に実行することができ、さらに、種々の便利な補助機能を付与することができる。
【００４６】
図９は、本実施形態における便器洗浄装置１０と制御部５００との接続を表すブロック図である。すなわち、制御部は、ＣＰＵ（central processing unit）を備え、位置検出手段１２からの検出情報を入力し、また、モータ４２に対して駆動信号を与える。
【００４７】
図１０は、位置検出手段１２を用いることにより便器洗浄装置１０の初期設定を実行可能とした具体例を表すブロック図である。
【００４８】
すなわち、本具体例においては、制御部５００は、操作部５１０と、駆動部５２０と、を有する。操作部５１０には、スイッチなどが設けられ、使用者の意志を入力可能とした部分である。操作部５１０と駆動部５２０とは、有線方式に結合されていてもよく、または図１に例示した如く、赤外線や無線などにより結合可能とされていてもよい。
【００４９】
駆動部５２０には、ＣＰＵ５０１と、駆動信号供給部５２０Ａと位置判定部５２０Ｂと洗浄モード決定部５２０Ｃと、が設けられている。駆動信号供給部５２０Ａは、ＣＰＵ５０１からの指令に基づき、あるいは位置判定部５２０Ｂからの情報に基づいて、所定の駆動信号を便器洗浄装置１０のモータ４２に供給する部分である。位置判定部５２０Ｂは、便器洗浄装置１０の位置検出手段１２からの検出情報を入手し、シャフト２２（あるいは出力軸７０、７２）の回転角度を判定する部分である。洗浄モード決定部５２０Ｃは、便器洗浄装置１０が取り付けられたロータンクの形式に応じて、最適な洗浄モードを選択し設定する部分である。
【００５０】
図１１は、市場に出回っている各種のロータンクの洗浄モードの典型的なものをまとめた一覧表である。  
すなわち、同図には、代表的な６種類の洗浄モードを表した。同図において、「ＣＷ」は、操作ハンドル１００を向かって右回転（時計回り）に回転させ、「ＣＣＷ」は、操作ハンドル１００を向かって左回転（反時計回り）に回転させることを表す。また、「ＣＷＨ」は、操作ハンドル１００を右回転させ回転ストローク端で所定の時間だけ保持する（ホールドモード）ことを表す。同様に、「ＣＣＷＨ」は、操作ハンドル１００を左回転させ回転ストローク端で所定の時間だけ保持（ホールド）することを表す。
【００５１】
従って、例えば「洗浄モード１」の場合、「大」の洗浄水を流すためには、便器洗浄装置１０の出力軸（図２の挿入図参照）をＣＷ（時計回り）に回転させる制御信号（例えば、ＤＣ２４ボルト）を１秒間供給する。また、「小」の洗浄水を流すためには、便器洗浄装置１０の出力軸を反時計回り（ＣＣＷ）に回転させる制御信号を１秒間供給する。このため、便器洗浄装置１０に内蔵するモータとして、ＤＣブラシモータなどを用いた場合、モータに供給する制御信号（例えば、ＤＣ２４ボルト）の極性を、「大」と「小」に応じて適宜変える必要がある。
【００５２】
また、例えば「洗浄モード５」における「小洗浄」の場合、便器洗浄装置１０の出力軸を反時計回りに回転させる信号を４秒間供給する。これは、いわゆる「ホールドモード」であり、ロータンク２００の小洗浄水用の排水バルブを約４秒間、開けた状態に保持させる動作に対応する。つまり、便器洗浄装置１０のモータに対して供給する制御信号の長さも、洗浄モードに応じて適宜変える必要がある。
【００５３】
なお、このホールド動作の場合、４秒間の間、連続的な制御信号（例えば、ＤＣ２４ボルト）を供給してもよいが、モータの発熱を防ぐためには、ＰＷＭ（Pulse Width Modulation：パルス幅制御）により制御することが望ましい。つまり、排水バルブを開状態に保持しうるデューティ範囲で、パルス状の制御信号を便器洗浄装置１０に供給することより、モータの発熱を抑制しつつホールド動作を実行させることができる。つまり、モータに供給する制御信号のパルス波形も、洗浄モードに応じて適宜変えることが望ましい。
【００５４】
以上説明したように、市場に出回っているロータンクの洗浄モードは多種多様である。これに対して、本発明によれば、例えば、これら複数の洗浄モードを便器洗浄システムの洗浄モード決定部５２０Ｃに予め記憶させ、所定の初期設定操作により、それらのうちの最適なものを選択し設定することができる。
【００５５】
図１２は、洗浄モード決定部５２０Ｃに複数の洗浄モードに対応するデータが記憶されている状態を表す概念図である。すなわち、ＲＯＭ（Read Only Memory）などの記憶装置を用いることにより、洗浄モード決定部５２０Ｃに、複数の洗浄モードに対応するデータを記憶させておくことができる。そして、以下に説明する初期設定操作により、これらのうちから最適な洗浄モードに対応するデータを選択し、ＣＰＵ５０１に読み出して実行させることが可能である。  
例えば、「洗浄モード２」の形式のロータンク２００に、本発明の便器洗浄装置１０を取り付けた場合、使用者または設定者は、所定の初期設定操作を実行する。すると、「洗浄モード２」が自動的に選択され設定される。
【００５６】
図１３は、本発明における初期設定操作を表すフローチャートである。以下、図１も併せて参照しつつ、本具体例の初期設定操作について説明する。  
まず、ステップＳ３２において、設定モードに切り替える。例えば、図１に例示したリモコンユニット５１０の「止」ボタンを５秒間押し続けると、便座装置４００に設けられた制御部５００から「ピッ！」という音が鳴り、設定モードに切り替えるようにすることができる。
【００５７】
次に、ステップＳ３４において、使用者（設定者）は、操作ハンドル１００を「大洗浄」の側に回し、回転ストローク端において数秒間、保持する。すると、便器洗浄装置１０に設けられた位置検出手段１２がシャフト２２（出力軸７０、７２）の回転方向と回転角度を検出し、位置判定部５２０Ｂに検出結果を送信する。位置判定部５２０Ｂが位置情報を受け取ると、制御部５００において、再び「ピッ！」と鳴るようにすると、使用者にとって分かりやすい。
【００５８】
次に、ステップＳ３６において、操作ハンドル１００を「小洗浄」の側に回し、回転ストローク端で数秒間、保持する。すると、便器洗浄装置１０に設けられた位置検出手段１２がシャフト２２（出力軸７０、７２）の回転方向と回転角度を検出し、位置判定部５２０Ｂに検出結果を送信する。この場合にも、位置判定部５２０Ｂが位置情報を受け取ると、制御部５００において、再び「ピッ！」と鳴るようにすると、使用者にとって分かりやすい。
【００５９】
この後、使用者が操作ハンドル１００を中立位置に戻し、例えば、リモコンユニット５１０の「止」ボタンを５秒間押し続けると、設定モードが終了する。
【００６０】
以上説明した初期設定操作により、位置検出手段１２から位置判定部５２０Ｂに対して、「大洗浄」と「小洗浄」におけるシャフト２２の回転方向と回転角度の情報がそれぞれ与えられる。これら情報は、ＣＰＵ５０１において判断され、これらの情報に基づいて、洗浄モード決定部５２０Ｃに格納されている複数の洗浄モードのデータのうちから最適なものが選択され、設定される。このようにして、便器洗浄装置１０が取り付けられたロータンクの形式に適合した洗浄モードで、自動洗浄が可能となる。
【００６１】
図１４は、「ホールドモード」が含まれる場合の初期設定操作を表すフローチャートである。同図については、図１３に関して前述したものと同様のステップには同一の符号を付して詳細な説明は省略する。  
すなわち、ホールドモードを入力する場合には、ステップＳ３６において操作ハンドル１００を「小洗浄」の側に回し、その位置情報を入力して「ピッ！」と鳴った後に、ステップＳ３７において、使用者はさらにそのまま数秒間、操作ハンドル１００を回転ストローク端に保持する。すると、位置判定部５２０Ｂが「ホールドモード」であることを判別し、例えば、制御部５００において、「ピピッ！！」と鳴る。しかる後に、使用者は、操作ハンドル１００を中立位置に戻し、例えば、リモコンユニット５１０の「止」ボタンを５秒間押し続けることにより、設定モードを終了することができる。
【００６２】
以上説明したように、本具体例によれば、便器洗浄システムの洗浄モード決定部５２０Ｃに複数の洗浄モードを格納しておく。そして、初期設定操作において、「大洗浄」と「小洗浄」におけるシャフト２２の回転方向と回転角度、さらにホールドモードの有無を位置検出手段１２により検出して、洗浄モード決定部５２０Ｃに記憶されている複数の洗浄モードのいずれかを適宜選択し設定可能とすることにより、確実且つ容易に初期設定を実行でき、既存の各種の形式のロータンクに対して柔軟に適合させることができる。
【００６３】
一方、本発明においては、初期設定操作において位置検出手段１２から得られた位置情報を記憶し、そのデータに基づいて洗浄を実施することも可能である。例えば、図１３あるいは図１４に関して前述したような初期設定操作により、「大洗浄」と「小洗浄」のそれぞれについて、シャフト２２の回転方向、回転角度、及びホールドモードの有無についての情報を位置検出手段１２から位置判定部５２０Ｂを介して、洗浄モード決定部５２０Ｃに記憶させることができる。
【００６４】
図１５は、このように初期設定操作により得られたデータを洗浄モード決定部５２０Ｃに記憶させた状態を表す概念図である。このようにして、自動洗浄に必要な動作パラメータを記憶させた後には、操作部５１０からの「大洗浄」または「小洗浄」の指示に基づいて、洗浄モード決定部５２０Ｃに記憶された動作パラメータを読み出して、モータ４２を駆動することにより、ロータンクの形式に適合した自動洗浄が可能となる。この際に、記憶した動作パラメータに適合する波形（または電流値）の駆動電流を演算してモータ４２に供給してもよいし、または、位置検出手段１２からの検出結果を適宜読み出し、記憶したデータと比較しながらモータ４２をフィードバック制御することも可能である。
【００６５】
本具体例の場合には、図１２に表したように予め洗浄モードに対応するデータを洗浄モード決定部５２０Ｃに記憶させておく必要がなく、また、これら予め記憶されているデータに限定されずにあらゆる形式のロータンクに柔軟に適合させることができる点で有利である。
【００６６】
次に、本発明の便器洗浄装置１０によって実現可能な補助機能について説明する。  
図１６は、本発明の具体例にかかる便器洗浄システムの要部を表すブロック図である。同図については、図１乃至図１５に関して前述したものと同様の要素には同一の符号を付して詳細な説明は省略する。  
本具体例においては、位置検出手段１２から得られた位置情報が位置判別部５２０Ｂに与えられ、ＣＰＵは、この情報に基づいてモータ４２をフィードバック制御する。その結果として、「小洗浄」よりも少量の洗浄水を制御性よく流すことが可能となる。
【００６７】
図１７は、本具体例の動作を説明するための模式図である。すなわち、同図（ａ）は、ロータンク内において、排水バルブ２４０が閉じている状態を表す。この状態においては、玉鎖２２０に引き上げ力は作用しておらず、排水バルブ２４０は排水フランジ２４２を封止している。この時、所定の水量を超えた場合には、オーバーフロー管２４４から便器に水が放出される。
【００６８】
図１７（ｂ）は、「小洗浄」の状態を表す。すなわち、玉鎖２２０が引き上げられ、排水バルブ２４０が開いて洗浄水が排水フランジ２４２から便器に流される。この状態で洗浄水が流されると、便器において、いわゆる「サイフォン効果」が生じ、便器に貯留している水が配水管に排出される。ただし、この時の排水バルブ２４０の開度は、「大洗浄」の場合よりも小さい。
【００６９】
図１７（ｃ）は、本発明において実現される微量流水の状態を表す。すなわち、玉鎖２２０を引き上げて排水バルブ２４０を開くが、その開度は「小洗浄」の場合よりも小さく、便器に流される洗浄水の量は、「小洗浄」の場合よりも微量である。そして、この場合、便器のボウル面を濡らすことは可能であるが、「サイフォン効果」は生じない。  
本発明によれば、位置検出手段１２からの情報に基づいてモータ４２を制御することにより、このように排水バルブ２４０を「小洗浄」の場合よりもさらに小さな開度で開くことができる。このように微量の洗浄水を流すことができると、以下に説明する種々の便利な補助機能において、高い節水効果が得られる。
【００７０】
まず、第１に、いわゆる「プレ洗浄」において節水効果が得られる。すなわち、使用者が「小」あるいは「大」の使用をする前に、便器に洗浄水を流してボウル面を濡らしておくと、排泄物や汚れの付着を効果的に防ぐことができる。これが「プレ洗浄」である。  
図１８は、「プレ洗浄」を自動的に実施可能とした便器洗浄システムを表すブロック図である。すなわち、制御部５００に、人感センサ５２２及び着座センサ５２４が設けられている。この場合、これらセンサ５２２、５２４のいずれもが使用者を検知していない状態から、少なくともいずれかが使用者を検知した状態に遷移したら、図１７（ｃ）に表した如く、排水バルブ２４０を僅かに開けて「プレ洗浄」を実施する。そして、本発明によれば、位置検出手段１２からの情報に基づいてモータ４２をフィードバック制御することにより、排水バルブ２４０をわずかな開度で制御性よく開くことができる。その結果として、ボウル面を濡らすに必要十分な量の洗浄水のみを流して「プレ洗浄」を実施でき、高い節水効果が得られる。なお、図１９に表した如く、操作部５１０に、プレ洗浄スイッチ５１２を設け、使用者の手動操作によって「プレ洗浄」を実施可能としてもよい。
【００７１】
第２に、便器の使用時の「音消し」の際にも、高い節水効果が得られる。すなわち、使用者は、「小」などの使用時に、音が周囲に漏れるのを嫌って洗浄水を流す場合がある。  図２０は、「音消し」を実施可能とした便器洗浄システムを表すブロック図である。すなわち、操作部５１０に、音消しスイッチ５１３が設けられ、使用者の手動操作によって、図１７（ｃ）に表した如く、排水バルブ２４０を僅かに開けて「音消し」を実施する。そして、本発明によれば、位置検出手段１２からの情報に基づいてモータ４２をフィードバック制御することにより、排水バルブ２４０をわずかな開度で制御性よく開くことができる。その結果として、高い節水効果を得ながら「音消し」を実施することが可能となる。
【００７２】
第３に、いわゆる「お掃除モード」の際にも、高い節水効果が得られる。すなわち、便器をブラシなどにより掃除する際に、前もってボウル面を濡らしておくと汚れが取れやすくなり、掃除が楽になる。
【００７３】
図２１は、「お掃除モード」を実施可能とした便器洗浄システムを表すブロック図である。すなわち、操作部５１０に、お掃除モードスイッチ５１４が設けられ、使用者の手動操作によって、図１７（ｃ）に表した如く、排水バルブ２４０を僅かに開けて「音消し」を実施する。この場合も、位置検出手段１２からの情報に基づいてモータ４２をフィードバック制御することにより、排水バルブ２４０をわずかな開度で制御性よく開くことができる。その結果として、ボウル面を濡らすに必要十分な洗浄水のみを流すことができ、高い節水効果が得られる。
【００７４】
第４に、寒冷地などにおける「凍結防止モード」の際にも、高い節水効果が得られる。すなわち、便器やロータンク内に貯留されている洗浄水の凍結を防止するためには、少量の洗浄水を流し続けることが効果的である。この際にも、本発明によれば、高い節水効果が得られる。  
図２２は、「凍結防止モード」を実施可能とした便器洗浄システムを表すブロック図である。すなわち、制御部５００に、室温センサ５２６が設けられている。このセンサ５２６による検出温度が所定の下限を下回った場合に、図１７（ｃ）に表した如く、排水バルブ２４０を僅かに開けて「凍結防止モード」を実施する。  
図２３は、「凍結防止モード」を実施可能としたもう一つの具体例を表すブロック図である。すなわち、本具体例の場合には、制御部５００に、タイマ５２８が設けられている。そして、室温が低下する夜間などの時間帯に、図１７（ｃ）に表した如く、排水バルブ２４０を僅かに開けて「凍結防止モード」を実施する。
これらいずれの場合も、位置検出手段１２からの情報に基づいてモータ４２をフィードバック制御することにより、排水バルブ２４０をわずかな開度で制御性よく開くことができる。その結果として、貯留水の凍結を防止するのに必要十分な洗浄水のみを流すことができ、高い節水効果が得られる。
【００７５】
さて以上、図１６乃至図２３を参照しつつ説明したように、少量の洗浄水を流すに際しては、玉鎖の「たるみ」が問題となる場合がある。すなわち、図１に例示した如く、玉鎖（２２０、２３０）は、玉鎖レバー（８４、８５）に取り付けられてモータにより引き上げられる。しかし、玉鎖を玉鎖レバーに取り付ける際には、ある程度の「たるみ」が生じ、この「たるみ」の量は、施工現場によって一定ではなく異なる場合がある。
【００７６】
図２４は、玉鎖の「たるみ」を説明するための模式図である。  
すなわち、同図（ａ）に表した状態は、便器洗浄装置１０が動作せず、操作ハンドル１００が中立の状態である。この時には、玉鎖２２０にある量の「たるみ」がある。  
次に、便器洗浄装置１０のモータが駆動し玉鎖レバーが回転を始めると、玉鎖２２０は引き上げられ、図２４（ｂ）に表したように、「たるみ」がとれて張られた状態となる。  さらに玉鎖レバーが回転すると、同図（ｃ）に表したように排水バルブ２４０が開きはじめ、便器洗浄装置１０または操作ハンドル１００に設けられたストッパにより停止されて同図（ｄ）の如く停止する。
【００７７】
しかし、このように玉鎖２２０に不定量の「たるみ」がある場合、位置検出手段１２によってシャフト２２の回転角度だけを検出したのでは排水バルブ２４０の開き角度を正確に検出できないこととなる。  
これに対して、本発明によれば、モータ４２の駆動電流の変化に基づいて、玉鎖２２０の「たるみ」を検出することができる。
【００７８】
図２５は、モータの駆動電流の時間変化を表すグラフ図である。  
すなわち、まずモータ４２が駆動を開始すると、ラッシュ的に立ち上がりの駆動電流が流れる。そして、図４に関して前述したように所定の角度だけ空転し、その後、玉鎖２２０を引き上げ始めるが、図２４（ａ）に例示した如く玉鎖２２０に「たるみ」が残っている間は、負荷が小さいために駆動電流が小さい状態が維持される。この状態を、図２５において「（ａ）」と表した。
【００７９】
モータ４２がさらに回転すると、図２４（ｂ）に表したように玉鎖２２０の「たるみ」がなくなり、排水バルブ２４０にかかる水圧が負荷として生ずるようになる。その結果として、図２５に（ｂ）として表したように、駆動電流が立ち上がる。  
モータ４２がさらに回転すると、図２４（ｃ）に表したように排水バルブ２４０が開きはじめ、洗浄水が流出するとともに、排水バルブ２４０に浮力が作用するために、モータ４２に負荷が急落する。その結果として、図２５に「（ｃ）」と表したように、駆動電流が低下する。  
そして、図２４（ｄ）に表したように、モータ４２の回転がストッパにより停止されると、負荷は最大となり、図２５に「（ｄ）」として表したように、駆動電源によりリミットされる最大電流が流れる。
【００８０】
そこで、本発明においては、モータ４２の駆動電流を監視し、図２５に「（ｂ）」で表したように、玉鎖２２０の「たるみ」がなくなって駆動電流が上昇を始めた時点から位置検出手段１２による検知を開始する。
【００８１】
図２６は、このようにモータの駆動電流により位置検出手段１２の検知のタイミングを決定する手法を説明するためのグラフ図である。すなわち、同図に表したように、モータ４２の駆動を開始し、ラッシュ的な電流の後に駆動電流が低下し、再び上昇を開始した段階で、所定のタイミングＳに、位置検出手段１２によるシャフト２２の回転角度の検出を開始する。この開始のタイミングＳは、例えば、同図に表したように駆動電流がＸミリアンペア以上となった時点とすることができる。この時点では、玉鎖２２０の「たるみ」はなくなっているので、この時点を始点として計測したシャフト２２の回転角度は、「たるみ」に依存せず、排水バルブ２４０の開き角度と対応させることができる。
【００８２】
タイミングＳを始点として計測した位置検出手段１２からの情報に基づいて、所定のフィードバック制御によりモータ４２を駆動し、排水バルブ２４０の開き角度を所定の範囲に制御して、少量の洗浄水を制御性良く流すことができる。フィードバック制御の方法としては、例えば、モータ４２に供給する電流量を変化させても良く、オン・オフ制御してもよい。
【００８３】
図２７は、本発明により実現される便器洗浄システムの動作の一例を表す模式図である。  すなわち、同図（ａ）に表したように使用者８００がトイレに入室すると、制御部５００に設けられた人体検知センサが検知し、図１８に関して前述したように、「プレ洗浄」が自動的に実施される。
【００８４】
次に、図２７（ｂ）に表したように、使用者８００が便座に腰掛け、用を足す時、図２０に関して前述したように、「音消しスイッチ」を操作することにより、少量の洗浄水が流れ、音消しの効果が得られる。この後、温水洗浄便座を動作させて「おしり」などを温水により洗浄してもよい。
【００８５】
そして、図２７（ｃ）に表したように、使用者８００が立ち上がると、着座センサが検知し、便器洗浄装置１０を駆動させて所定の洗浄水が自動的に流れる。または、使用者８００がリモコンユニットなどの操作部５１０を操作することにより、「大」または「小」の洗浄水を流してもよい。
【００８６】
以上説明したように、本発明によれば、既存の各種のロータンクに取り付けて、確実且つ容易な初期設定により、自動洗浄が可能な便器洗浄装置及び便器洗浄システムを実現できる。特に、本発明によれば、位置検出手段を設けることにより広範な洗浄モードに適合できるので、ユーザは、既設のロータンクを買い換えることなく、自動洗浄の恩恵に浴することができる。さらに、「プレ洗浄」をはじめとする各種の便利な補助機能を実施するに際して、高い節水効果を得ることもできる。
【００８７】
以上具体例を参照しつつ本発明の実施の形態について説明した。しかし、本発明は、これらの具体例に限定されるものではない。  
すなわち、本発明の便器洗浄装置及び便器洗浄システムを構成する要素について当業者が設計変更を加えたものであっても、本発明の要旨を備えたものであれば、本発明の範囲に包含される。
【００８８】
すなわち、位置検出手段１２の具体的な構造や配置、その検出信号の処理方法やフィードバック制御の方法などについては、当業者が適宜設計変更を加えたものも、本発明の要旨を備える限り、本発明の範囲に包含される。
【００８９】
また、便器洗浄装置１０の外形状、サイズ、内蔵するモータの種類、減速手段が有するギアの数やそれらの減速比、あるいはこれらの配置関係などについては、当業者が適宜設計変更を加えたものも本発明の範囲に包含される。  
その他、本発明の実施の形態として上述した便器洗浄装置及び便器洗浄システムを基にして、当業者が適宜設計変更して実施しうるすべての便器洗浄装置及び便器洗浄システムも同様に本発明の範囲に属する。
【図面の簡単な説明】
【００９０】
【図１】本発明の実施の形態にかかる便器洗浄システムを水洗便器に取り付けた状態を例示する模式図である。
【図２】本発明の実施形態の便器洗浄装置の要部を表す斜視図である。
【図３】本発明の実施例の便器洗浄装置の内部構造を模式的に表した概念図である。
【図４】４段目のギア４９とシャフト２２との結合断面を表す模式図である。
【図５】位置検出手段１２を拡大した模式図である。
【図６】ギアリターンスプリング５３に近接して位置検出手段１２を配置した具体例を表す模式図である。
【図７】シャフトリターンスプリング５２に近接して位置検出手段１２を配置した具体例を表す模式図である。
【図８】出力軸７０に位置検出手段１２を配置した具体例を表す模式図である。
【図９】本発明の実施形態における便器洗浄装置１０と制御部５００との接続を表すブロック図である。
【図１０】位置検出手段１２を用いることにより便器洗浄装置１０の初期設定を実行可能とした具体例を表すブロック図である。
【図１１】市場に出回っている各種のロータンクの洗浄モードの典型的なものをまとめた一覧表である。
【図１２】洗浄モード決定部５２０Ｃに複数の洗浄モードに対応するデータが記憶されている状態を表す概念図である。
【図１３】本発明における初期設定操作を表すフローチャートである。
【図１４】「ホールドモード」が含まれる場合の初期設定操作を表すフローチャートである。
【図１５】初期設定操作により得られたデータを洗浄モード決定部５２０Ｃに記憶させた状態を表す概念図である。
【図１６】本発明の具体例にかかる便器洗浄システムの要部を表すブロック図である。
【図１７】本発明の具体例の動作を説明するための模式図である。
【図１８】「プレ洗浄」を自動的に実施可能とした便器洗浄システムを表すブロック図である。
【図１９】操作部５１０に、プレ洗浄スイッチ５１２を設け、使用者の手動操作によって「プレ洗浄」を実施可能とした具体例を表すブロック図である。
【図２０】「音消し」を実施可能とした便器洗浄システムを表すブロック図である。
【図２１】「お掃除モード」を実施可能とした便器洗浄システムを表すブロック図である。
【図２２】「凍結防止モード」を実施可能とした便器洗浄システムを表すブロック図である。
【図２３】「凍結防止モード」を実施可能としたもう一つの具体例を表すブロック図である。
【図２４】玉鎖の「たるみ」を説明するための模式図である。
【図２５】モータの駆動電流の時間変化を表すグラフ図である。
【図２６】モータの駆動電流により位置検出手段１２の検知のタイミングを決定する手法を説明するためのグラフ図である。
【図２７】本発明により実現される便器洗浄システムの動作の一例を表す模式図である。
【図２８】既存のロータンクの形態のいくつかを例示する模式図である。
【符号の説明】
【００９１】
１０ 便器洗浄装置
１２ 位置検出手段
１２ａ プリント基板
１２ｂ ポジションブラシユニット
２０ 螺合突出部
２２ シャフト
２２Ｐ 凸部
４０ 駆動部
４１ 筺体
４２ モータ
４３〜５１ ギア
４９Ｐ 凸部
５２ シャフトリターンスプリング
５３ ギアリターンスプリング
７０、７２ 出力軸
７６ 接続用コード
８２ スペーサ
８４、８５ 玉鎖レバー
１００ 操作ハンドル
２００ ロータンク
２２０、２３０ 玉鎖
２４０、２５０ 排水バルブ
２４２ 排水フランジ
２４４ オーバーフロー管
４００ 便座装置
５００ 制御部
５１０ 操作部（リモコンユニット）
５１２ プレ洗浄スイッチ
５１３ 音消しスイッチ
５１４ お掃除モードスイッチ
５２０ 駆動部
５２０Ａ 駆動信号供給部
５２０Ｂ 位置判別部
５２０Ｂ 位置判定部
５２０Ｃ 洗浄モード決定部
５２２ 人感センサ
５２４ 着座センサ
５２６ 室温センサ
５２８ タイマ
８００ 使用者
【図１】
2005105630.tif 000003
【図２】
2005105630.tif 000004
【図３】
2005105630.tif 000005
【図４】
2005105630.tif 000006
【図５】
2005105630.tif 000007
【図６】
2005105630.tif 000008
【図７】
2005105630.tif 000009
【図８】
2005105630.tif 000010
【図９】
2005105630.tif 000011
【図１０】
2005105630.tif 000012
【図１１】
2005105630.tif 000013
【図１２】
2005105630.tif 000014
【図１３】
2005105630.tif 000015
【図１４】
2005105630.tif 000016
【図１５】
2005105630.tif 000017
【図１６】
2005105630.tif 000018
【図１７】
2005105630.tif 000019
【図１８】
2005105630.tif 000020
【図１９】
2005105630.tif 000021
【図２０】
2005105630.tif 000022
【図２１】
2005105630.tif 000023
【図２２】
2005105630.tif 000024
【図２３】
2005105630.tif 000025
【図２４】
2005105630.tif 000026
【図２５】
2005105630.tif 000027
【図２６】
2005105630.tif 000028
【図２７】
2005105630.tif 000029
【図２８】
2005105630.tif 000030